(57)【要約】  簡便なアルゴリズムにて複数の復調信号を利用して、同時に複数の処理を実施するデジタル放送受信処理装置を実現する。デジタル放送受信処理装置は、複数のアンテナと、複数の復調部と、複数の復調信号を第１処理単位と第２処理単位に選別して出力する復調振分部と、第１処理単位に選別された復調信号をキャリア合成して出力するキャリア合成部と、キャリア合成された復調信号を処理する主処理部と、第２処理単位に選別された復調信号を処理する副処理部と、復調振分部での選別を制御する副処理用復調選択部とを具備する。副処理用復調選択部は、複数の復調部から取得した複数の信号強度に応じて第１処理単位及び第２処理単位に選別する復調信号を決定し、復調振分部に指示する。
2011118206.tif 000002
【特許請求の範囲】
【請求項１】
複数のデジタル放送信号を受信する複数のアンテナと、
受信された前記複数のデジタル放送信号を復調して、複数の復調信号を出力する複数の復調部と、
前記複数の復調信号を第１処理単位と第２処理単位とに選別して出力する復調振分部と、
前記第１処理単位に選別された復調信号をキャリア合成して出力するキャリア合成部と、
前記キャリア合成された復調信号を処理する主処理部と、
前記第２処理単位に選別された復調信号を処理する副処理部と、
前記第１処理単位及び前記第２処理単位に選別する復調信号を決定し、前記復調振分部に指示する副処理用復調選択部とを具備し、
前記副処理用復調選択部は、前記複数の復調信号の信号強度を取得し、当該取得した複数の信号強度の中で、最も低い信号強度と最も高い信号強度とを特定し、前記最も低い信号強度と前記最も高い信号強度との差異が所定範囲を超えた場合に、前記最も低い信号強度の復調信号以外の復調信号を前記第２処理単位に選別することを決定する、デジタル放送受信処理装置。
【請求項２】
前記副処理用復調選択部は、所定時間間隔で前記複数の復調信号の信号強度を取得する、請求項１に記載のデジタル放送受信処理装置。
【請求項３】
前記副処理用復調選択部は、前記最も低い信号強度と前記最も高い信号強度との差異が所定範囲を超えなかった場合は、前記最も低い信号強度の復調信号を前記第２処理単位に選別することを決定する、請求項１に記載のデジタル放送受信処理装置。
【請求項４】
前記副処理用復調選択部は、前記複数の復調信号のうち、少なくとも前記最も高い信号強度の復調信号を前記第１処理単位に選別することを決定する、請求項１に記載のデジタル放送受信処理装置。
【請求項５】
前記副処理用復調選択部は、前記最も低い信号強度と前記最も高い信号強度との差異が所定範囲を超えた場合に、前記最も低い信号強度の次に低い信号強度の復調信号を前記第２処理単位に選別することを決定する、請求項１に記載のデジタル放送受信処理装置。
【請求項６】
前記副処理用復調選択部は、前記最も低い信号強度と前記最も高い信号強度との差異が所定範囲を超えた場合に、前記最も高い信号強度の次に高い信号強度の復調信号を第２処理単位に選別することを決定する、請求項１に記載のデジタル放送受信処理装置。
【請求項７】
複数のアンテナからを備えたデジタル放送受信処理装置が実施する方法であって、
前記複数のアンテナから複数のデジタル放送信号を受信するステップと、
前記複数のデジタル放送信号を復調して、複数の復調信号を出力する復調ステップと、
第１処理単位及び第２処理単位に選別する復調信号を決定する副処理用復調選択ステップと、
前記複数の復調信号を前記第１処理単位と前記第２処理単位とに選別して出力する復調振分ステップと、
前記第１処理単位に選別された復調信号をキャリア合成して出力するキャリア合成ステップと、
前記キャリア合成された復調信号を処理する主処理ステップと、
前記第２処理単位に選別された復調信号を処理する副処理ステップとを具備し、
前記副処理用復調選択ステップは、前記複数の復調信号の信号強度を取得し、当該取得した複数の信号強度の中で、最も低い信号強度と最も高い信号強度とを特定し、前記最も低い信号強度と前記最も高い信号強度との差異が所定範囲を超えた場合に、前記最も低い信号強度の復調信号以外の復調信号を前記第２処理単位に選別することを決定する、方法。
【発明の詳細な説明】
【技術分野】
【０００１】
本発明は、ダイバシティ受信方式のデジタル放送受信処理装置に関し、更に詳しくは、複数の復調部を持ち、同時に２つの処理を実施する際に、複数あるうちの所定数の復調部を主処理に使用し、残りの復調部を副処理に使用するように分割することが可能なデジタル放送受信処理装置に関する。
【背景技術】
【０００２】
従来の放送受信装置では、移動体受信に適するようにダイバシティ受信方式を採用したものがあり、受信した信号を合成することで安定した高い受信レベルを得られるようにしてきた。そのために、ノイズを発生する可能性が高い信号を除去することや、アンテナ切り替えが頻繁に起こらないようにする工夫がなされている（たとえば、特許文献１参照）。【０００３】
また、複数の復調部を持ち、受像（映像表示）と受信判定処理を同時に実施することを可能にして、受信する放送局を切換えることで継続受信を実現する工夫がなされている放送受信装置も存在する。【０００４】
ここで、従来の放送受信装置が、デジタル放送を受信するためには、受信したデジタル放送信号を復号できれば、目的に応じた情報をデコードして映像、音声、データを使用者に提示する。しかし、デジタル放送信号を復号しなくても、信号強度を得ることだけで受信可否を判断することは可能である。すなわち、信号強度が弱ければ、映像や音声を使用者に提示するためのデコードが十分に処理できないため、受信不可能であると判断できる。【０００５】
また、デジタル放送では、放送局を識別するような情報は、受信しやすい階層で送出される。逆に、映像や音声は大量な情報量が必要となるため、前述の放送局を識別するような情報と比べると、安定した受信状況で得られる階層で送出される。
【先行技術文献】
【特許文献】
【０００６】
【特許文献１】特開平０８−３４０４９０号公報
【発明の概要】
【発明が解決しようとする課題】
【０００７】
しかしながら、上記特許文献１に記載の放送受信装置では、単一処理されることが念頭であるため、ノイズを発生する可能性が高い信号を除去しており、不十分な信号強度であれば使用されなくなる。そのため、上記特許文献１に記載の放送受信装置は同時に複数の処理をするには適さないという問題があった。【０００８】
また、従来の放送受信装置が、複数の復調部（チューナ）を持っている場合は、２つのチューナのうち１つのチューナで映像表示を行い、他方のチューナで受信判定を行っているが、３つ以上のチューナを有した場合の具体的な復調部の分割アルゴリズムについて考慮されていないという問題もあった。【０００９】
それ故に、本発明は、上記の課題を解決するために成されたものであって、簡便なアルゴリズムにて複数の復調信号を利用して、同時に複数の処理を実施することで高機能でありながら安価なデジタル放送受信処理装置を提供することを目的とする。
【課題を解決するための手段】
【００１０】
本発明のデジタル放送受信処理装置は、複数のデジタル放送信号を受信する複数のアンテナと、受信された複数のデジタル放送信号を復調して、複数の復調信号を出力する複数の復調部と、複数の復調信号を第１処理単位と第２処理単位に選別して出力する復調振分部と、復調振分部より出力された第１処理単位に選別された復調信号をキャリア合成して出力するキャリア合成部と、キャリア合成された復調信号を処理する主処理部と、第２処理単位に選別された復調信号を処理する副処理部と、第１処理単位及び第２処理単位に選別する復調信号を決定し、復調振分部に指示する副処理用復調選択部と、を具備し、副処理用復調選択部は、複数の復調信号の信号強度を取得し、当該取得した複数の信号強度の中で、最も低い信号強度と最も高い信号強度とを特定し、最も低い信号強度と最も高い信号強度との差異が所定範囲を超えた場合に、最も低い信号強度の復調信号以外の復調信号を第２処理単位に選択することを特徴とする。
【発明の効果】
【００１１】
以上説明したように、本発明によれば、簡便なアルゴリズムにて複数の復調信号を利用して、同時に複数の処理を実施することで高機能でありながら安価なデジタル放送受信処理装置を実現することができる。
【図面の簡単な説明】
【００１２】
【図１】図１は、本発明の一実施の形態にかかるデジタル放送受信処理装置の構成を示すブロック図である。
【図２】図２は、本発明の一実施の形態にかかる復調信号の選択出力の概念を示す図である。
【図３】図３は、本発明の一実施の形態にかかる最も信号強度が低いものを回避した概念を示す図である。
【図４】図４は、本発明の一実施の形態にかかるデジタル放送受信処理装置の動作の一例を示すフローチャートである。
【発明を実施するための形態】
【００１３】
図１を用いて、本発明の実施の形態を説明する。図１は、本発明の一実施の形態にかかるデジタル放送受信処理装置の構成例を示すブロック図である。デジタル放送受信処理装置１００は、第１のアンテナ１０１と、第１の復調部１０２と、第２のアンテナ１０３と、第２の復調部１０４と、第３のアンテナ１０５と、第３の復調部１０６と、第４のアンテナ１０７と、第４の復調部１０８と、復調振分部１０９と、キャリア合成部１１０と、主処理部１１１と、副処理部１１２と、副処理用復調選択部１１３とから構成される。
【００１４】
第１のアンテナ１０１から受信したデジタル放送信号は、第１の復調部１０２にてデジタル放送信号であることを判別して復調され、復調信号として復調振分部１０９に出力される。以下、第２のアンテナ１０３と第２の復調部１０４、第３のアンテナ１０５と第３の復調部１０６、第４のアンテナ１０７と第４の復調部１０８に対しても同処理を実行する。
【００１５】
復調振分部１０９では、復調された複数の復調信号を第１処理単位と第２処理単位に選別して出力する。第１処理単位とは主処理される信号を指し、第２処理単位とは副処理される信号を指すものとする。復調信号の４本のうち、いずれか１本を第２処理単位に振り分け副処理部１１２に入力し、それ以外の３本を第１処理単位に振り分けキャリア合成部１１０に入力する。
【００１６】
キャリア合成部１１０は、復調振分部１０９から入力した３本の復調信号を受けてキャリア合成し、キャリア合成信号として主処理部１１１に出力する。キャリア合成の手法については、本発明に依存しない部分であるため、説明を割愛する。
【００１７】
主処理部１１１は、キャリア合成部１１０から出力されたキャリア合成信号を処理する。たとえば、主処理部１１１は、映像と音声とをデコードしてテレビ視聴が可能な状態にすることや、データ放送や番組表のデータを解析することで、使用者に対して情報表示することを可能にする。
【００１８】
副処理部１１２は、復調振分部１０９が出力した復調信号を処理する。たとえば、副処理部１１２は、ワンセグサービスを処理して小画面に映像出力することや、別のチャンネルの放送状況を確認して、主処理部１１１が処理中の信号よりも、高い信号強度が得られそうな中継局をサーチし、継続視聴を補助する役割を担うことなど、様々な用途が考えられる。
【００１９】
副処理用復調選択部１１３は、復調振分部１０９より、４つの復調部それぞれの信号強度に関する情報を得て、適切な復調部からの復調信号を副処理部１１２に入力するように決定し、復調振分部１０９に指示する。そして、副処理部１１２の処理が終了するまで、決定した振分状態を維持する。
【００２０】
主処理部１１１は、一定時間経過毎に副処理が必要であるか否かを判断し、副処理部１１２と副処理用復調選択部１１３とに、副処理開始通知と副処理終了通知とを行う。ここで、副処理開始通知及び副処理終了通知は、主処理部１１１が主導するのではなく、副処理部１１２あるいは副処理用復調選択部１１３が主導してもよい。例えば、副処理用復調選択部１１３が各復調部の信号強度に基づいて、副処理が必要であるか否かを判断し、副処理部１１２に副処理開始通知と副処理終了通知とを行うようにしてもよい。
【００２１】
なお、上述したデジタル放送受信装置では、アンテナと復調部とがそれぞれ４つの場合を例に挙げて説明したが、２つ以上のアンテナと復調部とを有する構成であってもよい。また、復調振分部１０９の振分は、第１処理単位に３本の復調信号を、第２処理単位に１本の復調信号を出力するように説明したが、アンテナと復調部との数に依存して変更してもよい。たとえば、第１処理単位に２本の復調信号を、第２処理単位に１本の復調信号を出力するようにしてもよいし、第１処理単位に２本の復調信号を、第２処理単位に２本の復調信号を出力するようにしてもよい。
【００２２】
次に、図２を用いて、復調信号の選択出力の概念を説明する。図２では、図１のアンテナ（第１のアンテナ１０１、第２のアンテナ１０３、第３のアンテナ１０５、及び第４のアンテナ１０７）と、復調部（第１の復調部１０２、第２の復調部１０４、第３の復調部１０６、及び第４の復調部１０８）と、復調振分部１０９と、副処理用復調選択部１１３とを特出して説明する。
【００２３】
第１のアンテナ１０１、第２のアンテナ１０３、第３のアンテナ１０５、及び第４のアンテナ１０７がデジタル放送信号を受信している場合、副処理用復調選択部１１３は、第１の復調部１０２が得ている第１の信号強度２０２と、第２の復調部１０４が得ている第２の信号強度２０４と、第３の復調部１０６が得ている第３の信号強度２０６と、第４の復調部１０８が得ている第４の信号強度２０８の各情報を、復調振分部１０９から取得する。ここで、第１の信号強度２０２は７０であり、第２の信号強度２０４は７５であり、第３の信号強度２０６は７２であり、第４の信号強度２０８は７２であるものとする。副処理用復調選択部１１３は、第１の信号強度２０２と、第２の信号強度２０４と、第３の信号強度２０６と、第４の信号強度２０８の中で、第１の信号強度２０２が最も低い値であるので、第１の復調部１０２からの復調信号を第２処理単位に出力することを決定する。
【００２４】
なお、副処理用復調選択部１１３は、最も信号強度が低い復調信号を第２処理単位に出力するのではなく、最も信号強度が高い復調信号（図２では第２の復調部１０４からの復調信号）を第２処理単位に出力することと決定してもよい。また、副処理用復調選択部１１３は、所定の時間間隔で信号強度を取得して、最も信号強度が低い復調信号、あるいは最も信号強度が高い復調信号を第２処理単位として選択する形式としてもよい。また、副処理用復調選択部１１３は、上記以外の信号強度の復調信号を第２処理単位として選択するものであってもよい。
【００２５】
ただし、最も信号強度が低い復調信号の信号強度が所定条件を満たさない場合には、当該復調信号を第２処理単位に出力することを回避して、他の信号強度の復調信号を第２処理単位に出力する。図３は、本実施の形態にかかるデジタル放送受信処理装置が、最も信号強度が低い復調信号を第２処理単位に出力することを回避した概念を示す図である。図３では、図１のアンテナ（第１のアンテナ１０１、第２のアンテナ１０３、第３のアンテナ１０５、及び第４のアンテナ１０７）と、復調部（第１の復調部１０２、第２の復調部１０４、第３の復調部１０６、及び第４の復調部１０８）と、復調振分部１０９と、副処理用復調選択部１１３を特出して説明する。
【００２６】
第１のアンテナ１０１、第２のアンテナ１０３、第３のアンテナ１０５、及び第４のアンテナ１０７がデジタル放送信号を受信している場合、副処理用復調選択部１１３は、第１の復調部１０２が得ている第１の信号強度３０２と、第２の復調部１０４が得ている第２の信号強度３０４と、第３の復調部１０６が得ている第３の信号強度３０６と、第４の復調部１０８が得ている第４の信号強度３０８の各情報を、復調振分部１０９から取得する。
【００２７】
ここで、第１の信号強度３０２は７０であり、第２の信号強度３０４は７５であり、第３の信号強度３０６は７２であり、第４の信号強度３０８は３０であるものとする。副処理用復調選択部１１３は、第１の信号強度３０２と、第２の信号強度３０４と、第３の信号強度３０６と、第４の信号強度３０８との中で、第４の信号強度３０８が最も低い値であるが、最も信号強度の高い第２の信号強度３０４の５０％を下回るため、故障や断線の可能性があり、第４の信号強度３０８を得た第４の復調部１０８が副処理するのに耐えられない可能性が高いと判断する。そのため、副処理用復調選択部１１３は、次に信号強度が低い第１の信号強度３０２を得た第１の復調部１０２からの復調信号を第２処理単位に出力することを決定する。つまり、副処理用復調選択部１１３は、複数の信号強度を取得した場合に、最も低い信号強度と最も高い信号強度とを比較し、最も低い信号強度と最も高い信号強度との差異が所定範囲を超えるか否かに応じて最も低い信号強度の復調信号を第２処理単位に出力するか否かを判断する。
【００２８】
なお、上述した例では、副処理用復調選択部１１３は、最も低い信号強度が最も高い信号強度の５０％以下であるか否かに応じて、最も低い信号強度の復調信号を第２処理単位に出力するかどうかを判断しているが、デジタル放送受信処理装置１００が使用される状況に合わせて信号強度を判定する範囲を適宜決定してもよい。また、上述した例では、最も信号強度が低い復調信号を第２処理単位として適さないと判断した場合に、二番目に信号強度が低い復調信号を第２処理単位に出力しているが、その代わりに、二番目に信号強度が高い復調信号（すなわち、第３の復調部１０６からの復調信号）、あるいは最も信号強度が高い復調信号（すなわち、第１の復調部１０２からの復調信号）を第２処理単位に出力することと決定してもよい。
【００２９】
すなわち、副処理用復調選択部１１３は、複数の復調信号の信号強度を取得した場合に、最も低い信号強度と最も高い信号強度とを特定し、最も低い信号強度と最も高い信号強度との差異が所定範囲を超えた場合には、最も低い信号強度の復調信号以外の復調信号を第２処理単位として出力する。また、副処理用復調選択部１１３は、最も低い信号強度と最も高い信号強度との差異が所定範囲を超えなかった場合には、最も低い信号強度の復調信号（上述したように、最も低い信号強度の復調信号以外の復調信号であってもよい）を第２処理単位として出力するのである。
【００３０】
なお、副処理用復調選択部１１３は、最も信号強度が高い復調信号を第１処理単位に出力することが好ましい。これは、最も信号強度が高い復調信号は、安定して映像や音声を使用者に提供することが可能であって主処理に使用したほうがよいと考えられるためである。
【００３１】
図４は、デジタル放送受信処理装置の動作の一例を示すフローチャートである。図４において、複数の復調部１０２，１０４，１０６，１０８は、複数のアンテナ１０１，１０３，１０５，１０７を介してデジタル放送信号を受信する（ステップＳ１１）。複数の復調部１０２，１０４，１０６，１０８は、受信した複数のデジタル放送信号を復調して、複数の復調信号を出力する（ステップＳ１２）。副処理用復調選択部１１３は、第１処理単位及び第２処理単位に選別する復調信号を決定する（ステップＳ１３）。典型的には、副処理用復調選択部１１３は、複数の復調信号の信号強度を取得し、当該取得した複数の信号強度の中で、最も低い信号強度と最も高い信号強度とを特定し、前記最も低い信号強度と前記最も高い信号強度との差異が所定範囲を超えた場合に、前記最も低い信号強度の復調信号以外の復調信号を前記第２処理単位に選別する。
【００３２】
復調振分部１０９は、副処理用復調選択部１１３の決定に従って、複数の復調信号を第１処理単位と第２処理単位とに選別して出力する（ステップＳ１４）。キャリア合成部１１０は、第１処理単位に選別された復調信号をキャリア合成して、キャリア合成信号として出力する（ステップＳ１５）。主処理部１１１は、キャリア合成部１１０から出力されたキャリア合成信号を処理する（ステップＳ１６）。副処理部１１２は、第２処理単位に選別された復調信号を処理する（ステップＳ１７）。
【００３３】
また、上述したデジタル放送受信処理装置が行うそれぞれの処理手順は、記憶装置（ＲＯＭ、ＲＡＭ、ハードディスク等）に格納された上述した処理手順を実行可能な所定のプログラムデータが、ＣＰＵによって解釈実行されることで実現されてもよい。この場合、プログラムデータは、記憶媒体を介して記憶装置内に導入されてもよいし、記憶媒体上から直接実行されてもよい。なお、記憶媒体は、ＲＯＭやＲＡＭやフラッシュメモリ等の半導体メモリ、フレキシブルディスクやハードディスク等の磁気ディスクメモリ、ＣＤ−ＲＯＭやＤＶＤやＢＤ等の光ディスクメモリ、及びメモリカード等をいう。また、記憶媒体は、電話回線や搬送路等の通信媒体を含む概念である。
【産業上の利用可能性】
【００３４】
本発明は、移動体受信向けのダイバシティ受信方式のデジタル放送受信処理装置等に有用である。
【符号の説明】
【００３５】
１００    デジタル放送受信処理装置
１０１    第１のアンテナ
１０２    第１の復調部
１０３    第２のアンテナ
１０４    第２の復調部
１０５    第３のアンテナ
１０６    第３の復調部
１０７    第４のアンテナ
１０８    第４の復調部
１０９    復調振分部
１１０    キャリア合成部
１１１    主処理部
１１２    副処理部
１１３    副処理用復調選択部
【図１】
2011118206.tif 000003
【図２】
2011118206.tif 000004
【図３】
2011118206.tif 000005
【図４】
2011118206.tif 000006
【手続補正書】
【提出日】平成24年9月12日(2012.9.12)
【手続補正１】
【補正対象書類名】明細書
【補正対象項目名】全文
【補正方法】変更
【補正の内容】
【発明の詳細な説明】
【技術分野】
【０００１】
本発明は、ダイバシティ受信方式のデジタル放送受信処理装置に関し、更に詳しくは、複数の復調部を持ち、同時に２つの処理を実施する際に、複数あるうちの所定数の復調部を主処理に使用し、残りの復調部を副処理に使用するように分割することが可能なデジタル放送受信処理装置に関する。
【背景技術】
【０００２】
従来の放送受信装置では、移動体受信に適するようにダイバシティ受信方式を採用したものがあり、受信した信号を合成することで安定した高い受信レベルを得られるようにしてきた。そのために、ノイズを発生する可能性が高い信号を除去することや、アンテナ切り替えが頻繁に起こらないようにする工夫がなされている（たとえば、特許文献１参照）。
【０００３】
また、複数の復調部を持ち、受像（映像表示）と受信判定処理を同時に実施することを可能にして、受信する放送局を切換えることで継続受信を実現する工夫がなされている放送受信装置も存在する。
【０００４】
ここで、従来の放送受信装置が、デジタル放送を受信するためには、受信したデジタル放送信号を復号できれば、目的に応じた情報をデコードして映像、音声、データを使用者に提示する。しかし、デジタル放送信号を復号しなくても、信号強度を得ることだけで受信可否を判断することは可能である。すなわち、信号強度が弱ければ、映像や音声を使用者に提示するためのデコードが十分に処理できないため、受信不可能であると判断できる。
【０００５】
また、デジタル放送では、放送局を識別するような情報は、受信しやすい階層で送出される。逆に、映像や音声は大量な情報量が必要となるため、前述の放送局を識別するような情報と比べると、安定した受信状況で得られる階層で送出される。
【先行技術文献】
【特許文献】
【０００６】
【特許文献１】特開平０８−３４０４９０号公報
【発明の概要】
【発明が解決しようとする課題】
【０００７】
しかしながら、上記特許文献１に記載の放送受信装置では、単一処理されることが念頭であるため、ノイズを発生する可能性が高い信号を除去しており、不十分な信号強度であれば使用されなくなる。そのため、上記特許文献１に記載の放送受信装置は同時に複数の処理をするには適さないという問題があった。
【０００８】
また、従来の放送受信装置が、複数の復調部（チューナ）を持っている場合は、２つのチューナのうち１つのチューナで映像表示を行い、他方のチューナで受信判定を行っているが、３つ以上のチューナを有した場合の具体的な復調部の分割アルゴリズムについて考慮されていないという問題もあった。
【０００９】
それ故に、本発明は、上記の課題を解決するために成されたものであって、簡便なアルゴリズムにて複数の復調信号を利用して、同時に複数の処理を実施することで高機能でありながら安価なデジタル放送受信処理装置を提供することを目的とする。
【課題を解決するための手段】
【００１０】
本発明のデジタル放送受信処理装置は、複数のデジタル放送信号を受信する複数のアンテナと、受信された複数のデジタル放送信号を復調して、複数の復調信号を出力する複数の復調部と、複数の復調信号を第１処理単位の信号と第２処理単位の信号とに選別して出力する復調振分部と、復調振分部より出力された第１処理単位の復調信号をキャリア合成して出力するキャリア合成部と、キャリア合成された復調信号を処理する主処理部と、第２処理単位の復調信号を処理する副処理部と、第１処理単位の信号及び第２処理単位の信号に選別する復調信号を決定し、復調振分部に指示する副処理用復調選択部と、を具備し、副処理用復調選択部は、複数の復調信号の信号強度を取得し、当該取得した複数の信号強度の中で、最も低い信号強度と最も高い信号強度とを特定し、最も低い信号強度と最も高い信号強度との差異が所定範囲を超えた場合に、最も低い信号強度の復調信号以外の復調信号を第２処理単位の信号として選択することを特徴とする。
【発明の効果】
【００１１】
以上説明したように、本発明によれば、簡便なアルゴリズムにて複数の復調信号を利用して、同時に複数の処理を実施することで高機能でありながら安価なデジタル放送受信処理装置を実現することができる。
【図面の簡単な説明】
【００１２】
【図１】本発明の一実施の形態にかかるデジタル放送受信処理装置の構成を示すブロック図
【図２】本発明の一実施の形態にかかる復調信号の選択出力の概念を示す図
【図３】本発明の一実施の形態にかかる最も信号強度が低いものを回避した概念を示す図
【図４】本発明の一実施の形態にかかるデジタル放送受信処理装置の動作の一例を示すフローチャート
【発明を実施するための形態】
【００１３】
図１を用いて、本発明の実施の形態を説明する。図１は、本発明の一実施の形態にかかるデジタル放送受信処理装置の構成例を示すブロック図である。デジタル放送受信処理装置１００は、第１のアンテナ１０１と、第１の復調部１０２と、第２のアンテナ１０３と、第２の復調部１０４と、第３のアンテナ１０５と、第３の復調部１０６と、第４のアンテナ１０７と、第４の復調部１０８と、復調振分部１０９と、キャリア合成部１１０と、主処理部１１１と、副処理部１１２と、副処理用復調選択部１１３とから構成される。
【００１４】
第１のアンテナ１０１から受信したデジタル放送信号は、第１の復調部１０２にてデジタル放送信号であることを判別して復調され、復調信号として復調振分部１０９に出力される。以下、第２のアンテナ１０３と第２の復調部１０４、第３のアンテナ１０５と第３の復調部１０６、第４のアンテナ１０７と第４の復調部１０８に対しても同処理を実行する。
【００１５】
復調振分部１０９では、復調された複数の復調信号を第１処理単位と第２処理単位に選別して出力する。第１処理単位の信号とは主処理される信号を指し、第２処理単位の信号とは副処理される信号を指すものとする。復調信号の４本のうち、いずれか１本を第２処理単位に振り分けて副処理部１１２に入力し、それ以外の３本を第１処理単位に振り分けてキャリア合成部１１０に入力する。
【００１６】
キャリア合成部１１０は、復調振分部１０９から入力した３本の復調信号を受けてキャリア合成し、キャリア合成信号として主処理部１１１に出力する。キャリア合成の手法については、本発明に依存しない部分であるため、説明を割愛する。
【００１７】
主処理部１１１は、キャリア合成部１１０から出力されたキャリア合成信号を処理する。たとえば、主処理部１１１は、映像と音声とをデコードしてテレビ視聴が可能な状態にすることや、データ放送や番組表のデータを解析することで、使用者に対して情報表示することを可能にする。
【００１８】
副処理部１１２は、復調振分部１０９が出力した復調信号を処理する。たとえば、副処理部１１２は、ワンセグサービスを処理して小画面に映像出力することや、別のチャンネルの放送状況を確認して、主処理部１１１が処理中の信号よりも、高い信号強度が得られそうな中継局をサーチし、継続視聴を補助する役割を担うことなど、様々な用途が考えられる。
【００１９】
副処理用復調選択部１１３は、復調振分部１０９より、４つの復調部それぞれの信号強度に関する情報を得て、適切な復調部からの復調信号を副処理部１１２に入力するように決定し、復調振分部１０９に指示する。そして、副処理部１１２の処理が終了するまで、決定した振分状態を維持する。
【００２０】
主処理部１１１は、一定時間経過毎に副処理が必要であるか否かを判断し、副処理部１１２と副処理用復調選択部１１３とに、副処理開始通知と副処理終了通知とを行う。ここで、副処理開始通知及び副処理終了通知は、主処理部１１１が主導するのではなく、副処理部１１２あるいは副処理用復調選択部１１３が主導してもよい。例えば、副処理用復調選択部１１３が各復調部の信号強度に基づいて、副処理が必要であるか否かを判断し、副処理部１１２に副処理開始通知と副処理終了通知とを行うようにしてもよい。
【００２１】
なお、上述したデジタル放送受信装置では、アンテナと復調部とがそれぞれ４つの場合を例に挙げて説明したが、２つ以上のアンテナと復調部とを有する構成であってもよい。また、復調振分部１０９の振分は、第１処理単位に３本の復調信号を、第２処理単位に１本の復調信号を出力するように説明したが、アンテナと復調部との数に依存して変更してもよい。たとえば、第１処理単位に２本の復調信号を、第２処理単位に１本の復調信号を出力するようにしてもよいし、第１処理単位に２本の復調信号を、第２処理単位に２本の復調信号を出力するようにしてもよい。
【００２２】
次に、図２を用いて、復調信号の選択出力の概念を説明する。図２では、図１のアンテナ（第１のアンテナ１０１、第２のアンテナ１０３、第３のアンテナ１０５、及び第４のアンテナ１０７）と、復調部（第１の復調部１０２、第２の復調部１０４、第３の復調部１０６、及び第４の復調部１０８）と、復調振分部１０９と、副処理用復調選択部１１３とを特出して説明する。
【００２３】
第１のアンテナ１０１、第２のアンテナ１０３、第３のアンテナ１０５、及び第４のアンテナ１０７がデジタル放送信号を受信している場合、副処理用復調選択部１１３は、第１の復調部１０２が得ている第１の信号強度２０２と、第２の復調部１０４が得ている第２の信号強度２０４と、第３の復調部１０６が得ている第３の信号強度２０６と、第４の復調部１０８が得ている第４の信号強度２０８の各情報を、復調振分部１０９から取得する。ここで、第１の信号強度２０２は７０であり、第２の信号強度２０４は７５であり、第３の信号強度２０６は７２であり、第４の信号強度２０８は７２であるものとする。副処理用復調選択部１１３は、第１の信号強度２０２と、第２の信号強度２０４と、第３の信号強度２０６と、第４の信号強度２０８の中で、第１の信号強度２０２が最も低い値であるので、第１の復調部１０２からの復調信号を第２処理単位の信号として出力することを決定する。
【００２４】
なお、副処理用復調選択部１１３は、最も信号強度が低い復調信号を第２処理単位の信号として出力するのではなく、最も信号強度が高い復調信号（図２では第２の復調部１０４からの復調信号）を第２処理単位の信号として出力することと決定してもよい。また、副処理用復調選択部１１３は、所定の時間間隔で信号強度を取得して、最も信号強度が低い復調信号、あるいは最も信号強度が高い復調信号を第２処理単位の信号として選択する形式としてもよい。また、副処理用復調選択部１１３は、上記以外の信号強度の復調信号を第２処理単位の信号として選択するものであってもよい。
【００２５】
ただし、最も信号強度が低い復調信号の信号強度が所定条件を満たさない場合には、当該復調信号を第２処理単位の信号として出力することを回避して、他の信号強度の復調信号を第２処理単位の信号として出力する。図３は、本実施の形態にかかるデジタル放送受信処理装置が、最も信号強度が低い復調信号を第２処理単位の信号として出力することを回避した概念を示す図である。図３では、図１のアンテナ（第１のアンテナ１０１、第２のアンテナ１０３、第３のアンテナ１０５、及び第４のアンテナ１０７）と、復調部（第１の復調部１０２、第２の復調部１０４、第３の復調部１０６、及び第４の復調部１０８）と、復調振分部１０９と、副処理用復調選択部１１３を特出して説明する。
【００２６】
第１のアンテナ１０１、第２のアンテナ１０３、第３のアンテナ１０５、及び第４のアンテナ１０７がデジタル放送信号を受信している場合、副処理用復調選択部１１３は、第１の復調部１０２が得ている第１の信号強度３０２と、第２の復調部１０４が得ている第２の信号強度３０４と、第３の復調部１０６が得ている第３の信号強度３０６と、第４の復調部１０８が得ている第４の信号強度３０８の各情報を、復調振分部１０９から取得する。
【００２７】
ここで、第１の信号強度３０２は７０であり、第２の信号強度３０４は７５であり、第３の信号強度３０６は７２であり、第４の信号強度３０８は３０であるものとする。副処理用復調選択部１１３は、第１の信号強度３０２と、第２の信号強度３０４と、第３の信号強度３０６と、第４の信号強度３０８との中で、第４の信号強度３０８が最も低い値であるが、最も信号強度の高い第２の信号強度３０４の５０％を下回るため、故障や断線の可能性があり、第４の信号強度３０８を得た第４の復調部１０８が副処理するのに耐えられない可能性が高いと判断する。そのため、副処理用復調選択部１１３は、次に信号強度が低い第１の信号強度３０２を得た第１の復調部１０２からの復調信号を第２処理単位の信号として出力することを決定する。つまり、副処理用復調選択部１１３は、複数の信号強度を取得した場合に、最も低い信号強度と最も高い信号強度とを比較し、最も低い信号強度と最も高い信号強度との差異が所定範囲を超えるか否かに応じて最も低い信号強度の復調信号を第２処理単位の信号として出力するか否かを判断する。
【００２８】
なお、上述した例では、副処理用復調選択部１１３は、最も低い信号強度が最も高い信号強度の５０％以下であるか否かに応じて、最も低い信号強度の復調信号を第２処理単位の信号として出力するかどうかを判断しているが、デジタル放送受信処理装置１００が使用される状況に合わせて信号強度を判定する範囲を適宜決定してもよい。また、上述した例では、最も信号強度が低い復調信号を第２処理単位の信号として適さないと判断した場合に、二番目に信号強度が低い復調信号を第２処理単位の信号として出力しているが、その代わりに、二番目に信号強度が高い復調信号（すなわち、第３の復調部１０６からの復調信号）、あるいは最も信号強度が高い復調信号（すなわち、第１の復調部１０２からの復調信号）を第２処理単位の信号として出力することと決定してもよい。
【００２９】
すなわち、副処理用復調選択部１１３は、複数の復調信号の信号強度を取得した場合に、最も低い信号強度と最も高い信号強度とを特定し、最も低い信号強度と最も高い信号強度との差異が所定範囲を超えた場合には、最も低い信号強度の復調信号以外の復調信号を第２処理単位の信号として出力する。また、副処理用復調選択部１１３は、最も低い信号強度と最も高い信号強度との差異が所定範囲を超えなかった場合には、最も低い信号強度の復調信号（上述したように、最も低い信号強度の復調信号以外の復調信号であってもよい）を第２処理単位の信号として出力するのである。
【００３０】
なお、副処理用復調選択部１１３は、最も信号強度が高い復調信号を第１処理単位に出力することが好ましい。これは、最も信号強度が高い復調信号は、安定して映像や音声を使用者に提供することが可能であって主処理に使用したほうがよいと考えられるためである。
【００３１】
図４は、デジタル放送受信処理装置の動作の一例を示すフローチャートである。図４において、複数の復調部１０２，１０４，１０６，１０８は、複数のアンテナ１０１，１０３，１０５，１０７を介してデジタル放送信号を受信する（ステップＳ１１）。複数の復調部１０２，１０４，１０６，１０８は、受信した複数のデジタル放送信号を復調して、複数の復調信号を出力する（ステップＳ１２）。副処理用復調選択部１１３は、第１処理単位及び第２処理単位に選別する復調信号を決定する（ステップＳ１３）。典型的には、副処理用復調選択部１１３は、複数の復調信号の信号強度を取得し、当該取得した複数の信号強度の中で、最も低い信号強度と最も高い信号強度とを特定し、最も低い信号強度と最も高い信号強度との差異が所定範囲を超えた場合に、最も低い信号強度の復調信号以外の復調信号を第２処理単位の信号として選別する。
【００３２】
復調振分部１０９は、副処理用復調選択部１１３の決定に従って、複数の復調信号を第１処理単位の信号と第２処理単位の信号とに選別して出力する（ステップＳ１４）。キャリア合成部１１０は、第１処理単位の復調信号をキャリア合成して、キャリア合成信号として出力する（ステップＳ１５）。主処理部１１１は、キャリア合成部１１０から出力されたキャリア合成信号を処理する（ステップＳ１６）。副処理部１１２は、第２処理単位の復調信号を処理する（ステップＳ１７）。
【００３３】
また、上述したデジタル放送受信処理装置が行うそれぞれの処理手順は、記憶装置（ＲＯＭ、ＲＡＭ、ハードディスク等）に格納された上述した処理手順を実行可能な所定のプログラムデータが、ＣＰＵによって解釈実行されることで実現されてもよい。この場合、プログラムデータは、記憶媒体を介して記憶装置内に導入されてもよいし、記憶媒体上から直接実行されてもよい。なお、記憶媒体は、ＲＯＭやＲＡＭやフラッシュメモリ等の半導体メモリ、フレキシブルディスクやハードディスク等の磁気ディスクメモリ、ＣＤ−ＲＯＭやＤＶＤやＢＤ等の光ディスクメモリ、及びメモリカード等をいう。また、記憶媒体は、電話回線や搬送路等の通信媒体を含む概念である。
【産業上の利用可能性】
【００３４】
本発明は、移動体受信向けのダイバシティ受信方式のデジタル放送受信処理装置等に有用である。
【符号の説明】
【００３５】
１００  デジタル放送受信処理装置
１０１  第１のアンテナ
１０２  第１の復調部
１０３  第２のアンテナ
１０４  第２の復調部
１０５  第３のアンテナ
１０６  第３の復調部
１０７  第４のアンテナ
１０８  第４の復調部
１０９  復調振分部
１１０  キャリア合成部
１１１  主処理部
１１２  副処理部
１１３  副処理用復調選択部
【手続補正２】
【補正対象書類名】特許請求の範囲
【補正対象項目名】全文
【補正方法】変更
【補正の内容】
【特許請求の範囲】
【請求項１】
複数のデジタル放送信号を受信する複数のアンテナと、
受信された前記複数のデジタル放送信号を復調して、複数の復調信号を出力する複数の復調部と、
前記複数の復調信号を第１処理単位の信号と第２処理単位の信号とに選別して出力する復調振分部と、
前記第１処理単位の復調信号をキャリア合成して出力するキャリア合成部と、
前記キャリア合成された復調信号を処理する主処理部と、
前記第２処理単位の復調信号を処理する副処理部と、
前記第１処理単位の信号及び前記第２処理単位の信号に選別する復調信号を決定し、前記復調振分部に指示する副処理用復調選択部とを具備し、
前記副処理用復調選択部は、前記複数の復調信号の信号強度を取得し、当該取得した複数の信号強度の中で、最も低い信号強度と最も高い信号強度とを特定し、前記最も低い信号強度と前記最も高い信号強度との差異が所定範囲を超えた場合に、前記最も低い信号強度の復調信号以外の復調信号を前記第２処理単位の信号として選別することを決定する、デジタル放送受信処理装置。
【請求項２】
前記副処理用復調選択部は、所定時間間隔で前記複数の復調信号の信号強度を取得する、請求項１に記載のデジタル放送受信処理装置。
【請求項３】
前記副処理用復調選択部は、前記最も低い信号強度と前記最も高い信号強度との差異が所定範囲を超えなかった場合は、前記最も低い信号強度の復調信号を前記第２処理単位の信号として選別することを決定する、請求項１に記載のデジタル放送受信処理装置。
【請求項４】
前記副処理用復調選択部は、前記複数の復調信号のうち、少なくとも前記最も高い信号強度の復調信号を前記第１処理単位の信号として選別することを決定する、請求項１に記載のデジタル放送受信処理装置。
【請求項５】
前記副処理用復調選択部は、前記最も低い信号強度と前記最も高い信号強度との差異が所定範囲を超えた場合に、前記最も低い信号強度の次に低い信号強度の復調信号を前記第２処理単位の信号として選別することを決定する、請求項１に記載のデジタル放送受信処理装置。
【請求項６】
前記副処理用復調選択部は、前記最も低い信号強度と前記最も高い信号強度との差異が所定範囲を超えた場合に、前記最も高い信号強度の次に高い信号強度の復調信号を第２処理単位の信号として選別することを決定する、請求項１に記載のデジタル放送受信処理装置。
【請求項７】
複数のアンテナからを備えたデジタル放送受信処理装置が実施する方法であって、
前記複数のアンテナから複数のデジタル放送信号を受信するステップと、
前記複数のデジタル放送信号を復調して、複数の復調信号を出力する復調ステップと、
第１処理単位及び第２処理単位に選別する復調信号を決定する副処理用復調選択ステップと、
前記複数の復調信号を前記第１処理単位の信号と前記第２処理単位の信号とに選別して出力する復調振分ステップと、
前記第１処理単位の復調信号をキャリア合成して出力するキャリア合成ステップと、
前記キャリア合成された復調信号を処理する主処理ステップと、
前記第２処理単位の復調信号を処理する副処理ステップとを具備し、
前記副処理用復調選択ステップは、前記複数の復調信号の信号強度を取得し、当該取得した複数の信号強度の中で、最も低い信号強度と最も高い信号強度とを特定し、前記最も低い信号強度と前記最も高い信号強度との差異が所定範囲を超えた場合に、前記最も低い信号強度の復調信号以外の復調信号を前記第２処理単位の信号として選別することを決定する、方法。
【手続補正３】
【補正対象書類名】図面
【補正対象項目名】全図
【補正方法】変更
【補正の内容】
【図１】
2011118206.tif 000007
【図２】
2011118206.tif 000008
【図３】
2011118206.tif 000009
【図４】
2011118206.tif 000010
【国際調査報告】
2011118206.tif 000011
2011118206.tif 000012